(57)【要約】【課題】  アドレス変換装置を介する必要がある端末装置に対する接続を、容易かつ高速に行う。【解決手段】  確立しようとする接続とは物理的に異なるネットワーク、あるいは、確立しようとする接続と物理的に同一のネットワークであっても論理的には異なる接続を用いることが可能である場合に、接続に必要な情報である、アドレス変換装置上のポート設定の情報を端末装置が相互に交換し、これによって得られた情報を用いて容易かつ高速な相互接続を可能とする。【選択図】  図１
2006324783.tif 000002
【特許請求の範囲】
【請求項１】
他のネットワークと接続する際に、アドレス変換装置を介する端末装置同士が相互接続するための接続情報交換方法であって、
前記端末装置同士は、主相互接続に用いるネットワークとは物理的に異なるネットワークを介してあらかじめ接続情報を相互交換するための副相互接続を確立し、
前記端末装置はそれぞれ、自端末装置が直接接続された前記アドレス変換装置に対し、自端末装置が前記主相互接続に用いるための当該アドレス変換装置における外部待受ポートおよび内部ポートをそれぞれ設定要求し、
前記アドレス変換装置は、当該設定要求に応じて前記端末装置が前記主相互接続に用いるための外部待受ポートおよび内部ポートをそれぞれ設定し、
前記端末装置同士は、
前記副相互接続を用いて前記アドレス変換装置の外部アドレスおよび前記外部待受ポートの番号および前記内部ポートの番号の情報を相互に交換し、
この副相互接続を用いて交換した情報に基づき宛先端末装置に接続された前記アドレス変換装置の前記外部待受ポートに対して直接通信経路を設定することにより前記主相互接続を確立する
ことを特徴とする接続情報交換方法。
【請求項２】
他のネットワークと接続する際にアドレス変換装置を必要としない第一の端末装置が、他のネットワークと接続する際にアドレス変換装置を介する第二の端末装置に対して接続するための接続情報交換方法であって、
前記端末装置同士は、主相互接続に用いるネットワークとは物理的に異なるネットワークを介してあらかじめ接続情報を相互交換するための副相互接続を確立し、
前記第二の端末装置は、自端末装置が直接接続された前記アドレス変換装置に対し、自端末装置が前記主相互接続に用いるための当該アドレス変換装置における外部待受ポートおよび内部ポートをそれぞれ設定要求し、
前記アドレス変換装置は、当該設定要求に応じて前記第二の端末装置が前記主相互接続に用いるための外部待受ポートおよび内部ポートをそれぞれ設定し、
前記第二の端末装置は、
前記副相互接続を用いて前記アドレス変換装置の外部アドレスおよび前記外部待受ポートの番号および前記内部ポートの番号の情報を前記第一の端末装置に通知し、
前記第一の端末装置は、この副相互接続を用いて通知された情報に基づき前記第二の端末装置に接続された前記アドレス変換装置の前記外部待受ポートに対して直接通信経路を設定し、
前記第二の端末装置は、前記アドレス変換装置を介して前記第一の端末装置と接続する
ことにより前記主相互接続を確立する
ことを特徴とする接続情報交換方法。
【請求項３】
前記主相互接続に用いるネットワークとは物理的に異なるネットワークに代えて、前記主相互接続に用いるネットワークとは物理的に同一のネットワークであっても論理的に異なる接続を用いてあらかじめ接続情報を交換するための副相互接続を確立する請求項１または２記載の接続情報交換方法。
【請求項４】
他のネットワークと接続する際に、アドレス変換装置を介する端末装置において、
主相互接続に用いるネットワークとは物理的に異なるネットワークを介してあらかじめ接続情報を相互交換するための副相互接続を確立する手段と、
自端末装置が直接接続された前記アドレス変換装置に対し、自端末装置が前記主相互接続に用いるための当該アドレス変換装置における外部待受ポートおよび内部ポートをそれぞれ設定要求する手段と、
前記副相互接続を用いて前記アドレス変換装置の外部アドレスおよび前記外部待受ポートの番号および前記内部ポートの番号の情報を前記他端末装置に通知する手段と、
前記他端末装置からも前記副相互接続を用いて前記他端末装置が直接接続された前記アドレス変換装置の外部アドレスおよび前記外部待受ポートの番号および前記内部ポートの番号の情報が通知されたときには、通知された当該情報に基づき前記他端末装置に直接接続された前記アドレス変換装置の前記外部待受ポートに対して直接通信経路を設定する手段と
を備えたことを特徴とする端末装置。
【請求項５】
他のネットワークと直接接続可能な端末装置において、
主相互接続に用いるネットワークとは物理的に異なるネットワークを介してあらかじめ接続情報を相互交換するための副相互接続を確立する手段と、
前記他端末装置から前記副相互接続を用いて前記他端末装置が直接接続された前記アドレス変換装置の外部アドレスおよび前記外部待受ポートの番号および前記内部ポートの番号の情報が通知されたときには、通知された当該情報に基づき前記他端末装置に直接接続された前記アドレス変換装置の前記外部待受ポートに対して直接通信経路を設定する手段と
を備えたことを特徴とする端末装置。
【請求項６】
前記副相互接続を確立する手段は、前記主相互接続に用いるネットワークとは物理的に異なるネットワークに代えて、前記主相互接続に用いるネットワークと物理的に同一のネットワークであっても論理的には異なる接続を用いてあらかじめ接続情報を交換するための副相互接続を確立する請求項４または５記載の端末装置。
【発明の詳細な説明】
【技術分野】
【０００１】
本発明は、アドレス変換装置を用いたパケット通信に利用する。特に、端末装置間の相互接続に用いる接続情報の交換技術に関する。
【背景技術】
【０００２】
従来技術として、アドレス変換装置を介する必要のある端末装置へ、他の端末装置が接続しようとした場合に、アドレス変換装置に関する情報を伝達する方法として、特許文献１「ネットワーク中継装置及び中継方法、中継プログラム並びにそのプログラムを記録した記録媒体」にあるように中継装置を介し、そこでセッションを擬似終端して中継する方法や、特許文献２「情報処理システムおよび方法、中継装置および方法、記録媒体、並びにプログラム」にあるように接続仲介サーバを設定し、そこにアドレス変換装置に関する情報を伝達することによって接続を可能とする方法が提案されている。
【０００３】
また、アドレス変換装置の機能としてはＵＰｎＰフォーラム（http://www.upnp.org）によってユニバーサルプラグアンドプレイに関する標準が提唱されている。
【０００４】
従来のアドレス変換装置におけるＮＡＴ(Network Address Translator)機能を用いた端末相互間の接続確立方法について図９ないし図１１を参照して説明する。図９は従来のＮＡＴ機能を用いた端末相互間の接続確立方法を説明するためのネットワーク構成図である。図１０は従来のＮＡＴ機能を用いた端末相互間の接続確立方法を説明するためのシーケンス図である。図１１は従来のＮＡＴテーブルを説明するための図である。
【０００５】
図９に示すように、端末装置５８と６４との間の通信経路には、ネットワーク５９、６１、６３が介在し、それぞれのネットワーク５９、６１、６３には、独自のアドレス体系が形成されている。このようなネットワーク構成では、端末装置５８および６４のアドレスは、アドレス変換装置６０および６２によって各ネットワーク５９、６１、６３にそれぞれ適合したアドレス体系に変換される。
【０００６】
図１０に示すように、端末装置５８の接続要求は、アドレス変換装置６０によってＮＡＴ処理が施され、ネットワーク５９のアドレス体系からネットワーク６１のアドレス体系へと変換される。さらに、アドレス変換装置６２によってＮＡＴ処理が施され、ネットワーク６１のアドレス体系からネットワーク６３のアドレス体系へと変換されて端末装置６４に到達する。端末装置６４の接続要求は、この逆の経路を辿る。これにより、接続６５、６６が確立される。
【０００７】
図１１に示すように、アドレス変換装置６０および６２には、ＮＡＴテーブルが設けられ、異なるアドレス体系間におけるアドレスの対応関係が記録される。
【０００８】
【特許文献１】特開２００４−５６６１０号公報
【特許文献２】特開２００４−１９４０１６号公報
【発明の開示】
【発明が解決しようとする課題】
【０００９】
アドレス変換装置を介する必要のある端末装置に対して、他の端末装置が接続しようとした場合に、アプリケーションごとに定められた特定のポートで静的に待受ができる場合を除き、一般には、ＮＡＴ処理によって、そのときに空いているポートが動的に端末装置に割当てられるため、ポートが不定となり、あらかじめ設定された待受ポートに対して接続を行うことは困難である。
【００１０】
よって、端末装置間で接続確立を行う度に、図１０に示したように複数のＮＡＴ処理を必要とし、容易かつ高速な接続を行うことはできない。
【００１１】
また、アドレス変換装置を必要としない中継装置を設ける手法（例えば、特許文献１参照）が提案されており、これによれば、端末装置への接続に関しては、待受ポートが定まるが、すべての接続を一旦終端し、中継することが必要になるため、容易かつ高速な接続を実現することはできない。
【００１２】
また、アドレス変換装置に関する情報を交換するための接続仲介サーバを設け、例えば、動的に端末装置に割当てられるポート番号などの情報を端末装置相互間で交換し、動的に割当てられるポートを待受ポートとして利用できる手法（例えば、特許文献２参照）が提案されているが、接続仲介サーバへの負荷集中による接続待ち時間増加と、接続仲介サーバのダウンによって接続そのものが行えなくなる問題を持ち、やはり、容易かつ高速な接続を実現することはできない。
【００１３】
本発明は、これらの課題を解決し、アドレス変換装置を介する必要がある端末装置に対する接続を、容易かつ高速に行うことができる接続情報交換方法および端末装置を提供することを目的とする。
【課題を解決するための手段】
【００１４】
上記課題を解決するため、確立しようとする接続とは物理的に異なるネットワーク、あるいは、確立しようとする接続と物理的に同一のネットワークであっても論理的には異なる接続を用いることが可能である場合に、接続に必要な情報である、アドレス変換装置上のポート設定の情報を端末装置が相互に交換し、これによって得られた情報を用いて容易かつ高速な相互接続を可能とする。
【００１５】
すなわち、本発明の第一の観点は、他のネットワークと接続する際に、アドレス変換装置を介する端末装置同士が相互接続するための接続情報交換方法である。
【００１６】
ここで、本発明の特徴とするところは、前記端末装置同士は、主相互接続に用いるネットワークとは物理的に異なるネットワークを介してあらかじめ接続情報を相互交換するための副相互接続を確立し、前記端末装置はそれぞれ、自端末装置が直接接続された前記アドレス変換装置に対し、自端末装置が前記主相互接続に用いるための当該アドレス変換装置における外部待受ポートおよび内部ポートをそれぞれ設定要求し、前記アドレス変換装置は、当該設定要求に応じて前記端末装置が前記主相互接続に用いるための外部待受ポートおよび内部ポートをそれぞれ設定し、前記端末装置同士は、前記副相互接続を用いて前記アドレス変換装置の外部アドレスおよび前記外部待受ポートの番号および前記内部ポートの番号の情報を相互に交換し、この副相互接続を用いて交換した情報に基づき宛先端末装置に接続された前記アドレス変換装置の前記外部待受ポートに対して直接通信経路を設定することにより前記主相互接続を確立するところにある。
【００１７】
あるいは、本発明は、他のネットワークと接続する際にアドレス変換装置を必要としない第一の端末装置が、他のネットワークと接続する際にアドレス変換装置を介する第二の端末装置に対して接続するための接続情報交換方法である。
【００１８】
ここで、本発明の特徴とするところは、前記端末装置同士は、主相互接続に用いるネットワークとは物理的に異なるネットワークを介してあらかじめ接続情報を相互交換するための副相互接続を確立し、前記第二の端末装置は、自端末装置が直接接続された前記アドレス変換装置に対し、自端末装置が前記主相互接続に用いるための当該アドレス変換装置における外部待受ポートおよび内部ポートをそれぞれ設定要求し、前記アドレス変換装置は、当該設定要求に応じて前記第二の端末装置が前記主相互接続に用いるための外部待受ポートおよび内部ポートをそれぞれ設定し、前記第二の端末装置は、前記副相互接続を用いて前記アドレス変換装置の外部アドレスおよび前記外部待受ポートの番号および前記内部ポートの番号の情報を前記第一の端末装置に通知し、前記第一の端末装置は、この副相互接続を用いて通知された情報に基づき前記第二の端末装置に接続された前記アドレス変換装置の前記外部待受ポート番号に対して直接通信経路を設定し、前記第二の端末装置は、前記アドレス変換装置を介して前記第一の端末装置と接続することにより前記主相互接続を確立するところにある。
【００１９】
また、前記主相互接続に用いるネットワークとは物理的に異なるネットワークに代えて、前記主相互接続に用いるネットワークと物理的に同一のネットワークであっても論理的に異なる接続を用いてあらかじめ接続情報を交換するための副相互接続を確立することもできる。
【００２０】
これによれば、確立しようとする接続とは物理的に異なるネットワーク、あるいは、確立しようとする接続と物理的に同一のネットワークであっても論理的には異なる接続を用いることが可能である場合に、他のネットワーク上の端末装置と接続する際、アドレス変換装置を介する必要のある端末装置同士が直接アドレス変換装置の外部待受ポート番号を指定して通信経路を設定するができるため、容易かつ高速に相互接続を行うことが可能となる。
【００２１】
あるいは、確立しようとする接続とは物理的に異なるネットワーク、あるいは、確立しようとする接続と物理的に同一のネットワークであっても論理的には異なる接続を用いることが可能である場合に、他のネットワーク上の端末装置と接続する際にアドレス変換装置を必要としない端末装置が、他のネットワーク上の端末装置と接続する際にアドレス変換装置を介する必要のある端末装置に対して容易かつ高速に相互接続を行うことが可能となる。
【００２２】
本発明の第二の観点は、他のネットワークと接続する際に、アドレス変換装置を介する端末装置であって、本発明の特徴とするところは、主相互接続に用いるネットワークとは物理的に異なるネットワークを介してあらかじめ接続情報を相互交換するための副相互接続を確立する手段と、自端末装置が直接接続された前記アドレス変換装置に対し、自端末装置が前記主相互接続に用いるための当該アドレス変換装置における外部待受ポートおよび内部ポートをそれぞれ設定要求する手段と、前記副相互接続を用いて前記アドレス変換装置の外部アドレスおよび前記外部待受ポートの番号および前記内部ポートの番号の情報を前記他端末装置に通知する手段と、前記他端末装置からも前記副相互接続を用いて前記他端末装置が直接接続された前記アドレス変換装置の外部アドレスおよび前記外部待受ポートの番号および前記内部ポートの番号の情報が通知されたときには、通知された当該情報に基づき前記他端末装置に直接接続された前記アドレス変換装置の前記外部待受ポート番号に対して直接通信経路を設定する手段とを備えたところにある。
【００２３】
あるいは、本発明は、他のネットワークと直接接続可能な端末装置であって、本発明の特徴とするところは、主相互接続に用いるネットワークとは物理的に異なるネットワークを介してあらかじめ接続情報を相互交換するための副相互接続を確立する手段と、前記他端末装置から前記副相互接続を用いて前記他端末装置が直接接続された前記アドレス変換装置の外部アドレスおよび前記外部待受ポートの番号および前記内部ポートの番号の情報が通知されたときには、通知された当該情報に基づき前記他端末装置に直接接続された前記アドレス変換装置の前記外部待受ポートに対して直接通信経路を設定する手段とを備えたところにある。
【００２４】
また、前記副相互接続を確立する手段は、前記主相互接続に用いるネットワークとは物理的に異なるネットワークに代えて、前記主相互接続に用いるネットワークと物理的に同一のネットワークであっても論理的には異なる接続を用いてあらかじめ接続情報を交換するための副相互接続を確立することもできる。
【発明の効果】
【００２５】
本発明によれば、アドレス変換装置を介する必要がある端末装置に対する接続を、容易かつ高速に行うことができる。
【発明を実施するための最良の形態】
【００２６】
本発明実施例の端末装置を図１ないし図５を参照して説明する。図１は本発明実施例の端末装置のブロック構成図である。図２は第一実施例の接続情報交換方法を説明するためのネットワーク構成図である。図３は第二実施例の接続情報交換方法を説明するためのネットワーク構成図である。図４は第三実施例の接続情報交換方法を説明するためのネットワーク構成図である。図５は第四実施例の接続情報交換方法を説明するためのネットワーク構成図である。図１における破線矢印は、第一および第三実施例においてアドレス変換装置を介さない情報の流れを示す。
【００２７】
本実施例は、図２に示すように、他のネットワーク６または２と接続する際に、アドレス変換装置３および５を介する端末装置１および７であって、本実施例の特徴とするところは、図１に示すように、主相互接続９、１０に用いるネットワーク２、４、６とは物理的に異なるネットワーク８を介してあらかじめ接続情報を相互交換するための副相互接続１１、１２を確立する副相互接続確立部１００と、自端末装置１または７が直接接続されたアドレス変換装置３または５に対し、自端末装置１または７が主相互接続９、１０に用いるための当該アドレス変換装置３または５における外部待受ポートおよび内部ポートをそれぞれ設定要求するポート設定要求部１０１と、副相互接続１１、１２を用いて接続情報格納部１０２に格納されているアドレス変換装置３または５の外部アドレスおよび前記外部待受ポートの番号および前記内部ポートの番号の情報を他端末装置７または１に通知する接続情報通知部１０３と、他端末装置７または１からも副相互接続１１、１２を用いて他端末装置７または１が直接接続されたアドレス変換装置５または２の外部アドレスおよび前記外部待受ポートの番号および前記内部ポートの番号の情報が通知されたときには、通知された当該情報に基づき他端末装置７または１に直接接続されたアドレス変換装置５または３の前記外部待受ポートに対して直接通信経路を設定する通信経路設定部１０４とを備えたところにある。
【００２８】
あるいは、本実施例は、図４に示すように、他のネットワーク４０と直接接続可能な端末装置４３であって、本実施例の特徴とするところは、図１に示すように、主相互接続４５、４６に用いるネットワーク４０、４２とは物理的に異なるネットワーク４４を介してあらかじめ接続情報を相互交換するための副相互接続４７、４８を確立する副相互接続確立部１００と、他端末装置３９から副相互接続４７、４８を用いて他端末装置３９が直接接続されたアドレス変換装置４１の外部アドレスおよび前記外部待受ポートの番号および前記内部ポートの番号の情報が通知されたときには、この情報を接続情報格納部１０２に格納し、格納した当該情報に基づき他端末装置３９に直接接続されたアドレス変換装置４１の前記外部待受ポートに対して直接通信経路を設定する通信経路設定部１０４とを備えたところにある。
【００２９】
また、副相互接続確立部１００は、図２および図４に示すような主相互接続に用いるネットワークとは物理的に異なるネットワーク８、４４に代えて、図３および図５に示すような主相互接続に用いるネットワークと物理的に同一のネットワークであっても論理的には異なる接続２２、２３、５６、５７を用いてあらかじめ接続情報を交換するための副相互接続を確立することもできる。
【００３０】
第三および第四実施例における端末装置３９（図４）および４９（図５）については、通信経路設定部１０４は、従来の機能のみを有すればよい。また、端末装置４３（図４）および５３（図５）については、ポート設定要求部１０１および接続情報通知部１０３は省略してもよい。
【００３１】
以下では、本実施例の端末装置を用いた本実施例の接続情報交換方法を詳細に説明する。
【００３２】
（第一実施例）
第一実施例の接続情報交換方法を図２、図６、図８を参照して詳細に説明する。図６は第一、第二実施例の接続情報交換方法を説明するためのシーケンス図である。図８は本実施例の接続情報テーブルの例を示す図である。端末装置１が端末装置７に対して接続を試みるとき、図６に示すような流れで相互接続を確立する。すなわち図２においてアドレス変換装置５の接続情報テーブルに対して、待受ポート番号など設定してほしい内容を、別のネットワーク８上の接続１１を用いて通知し、設定要求する。
【００３３】
端末装置７は、その設定要求を受けネットワーク６を介してアドレス変換装置５に対して、待受ポートなど必要な設定を行うとともに、確立しようとする接続９で用いられるアドレス変換装置の外部アドレスを得る。
【００３４】
設定が成功した場合は、接続１２を使って端末装置１へアドレス変換装置５の外部アドレスと、設定に成功した待受ポートを通知する。該当ポートが使用中だった場合などで設定に失敗すると、エラーとともにアドレス変換装置５の外部アドレスと、使用できる別の待受ポートを同様に通知する。
【００３５】
このようにして接続９に必要な、アドレス変換装置５の外部アドレスと待受ポートを含む、例えば、図８に示すような接続情報テーブル情報を通知する。その後、端末装置７から端末装置１への逆方向の接続においても同様に、ネットワーク８を介してアドレス変換装置３の接続情報テーブルの情報を通知する。
【００３６】
このようにして、互いのアドレス変換装置３および５の接続情報テーブルに関する情報を交換し、その情報をもとに接続９および接続１０を確立し、端末装置１と端末装置７の相互接続を可能とする。
【００３７】
なお、第一実施例では図６に示す「設定要求」、「結果通知／外部アドレス通知」は、アドレス変換装置を経由せず、直接端末同士で送受信される。
【００３８】
（第二実施例）
第二実施例の接続情報交換方法を図３、図６、図８を参照して詳細に説明する。図３は第二実施例の接続情報交換方法を説明するためのネットワーク構成図である。接続２２および接続２３は、他の手段を用いて既に確立した、制御用として用いることが可能な接続である。他の手段の例として、アドレス変換装置１５およびアドレス変換装置１７において特定の待受ポートを用いることによって、互いにアドレス変換装置１５および１７への要求や通知を行うことなく接続を可能とすることや、ＶＰＮ(Virtual Private Network)を用いて制御用の接続を確立することが挙げられる。この接続２２および２３を用いて、第一実施例の接続情報交換方法と同様の図６に示すような流れで、図８に示すような接続情報テーブルに関する情報を交換し、相互接続を確立する。
【００３９】
なお、第二実施例では、図６に示す「設定要求」、「結果通知／外部アドレス通知」は、アドレス変換装置を経由する。
【００４０】
（第三実施例）
第三実施例の接続情報交換方法を図４、図７、図８を参照して詳細に説明する。図４は第三実施例の接続情報交換方法を説明するためのネットワーク構成図である。図７は第三、第四実施例の接続情報交換方法を説明するためのシーケンス図である。第三実施例では、図７に示すような流れで相互接続を確立する。すなわち端末装置４３が端末装置３９に対して接続を試みるとき、アドレス変換装置４１の接続情報テーブルに対して、待受ポート番号など設定してほしい内容を、別ネットワーク４４上の接続４８を用いて通知し、設定を要求する。
【００４１】
端末装置３９は、その設定要求を受けネットワーク４０を介してアドレス変換装置４１に対し、待受ポートなど必要な設定を行うとともに、確立しようとする接続４６で用いられるアドレス変換装置４１の外部アドレスを得る。
【００４２】
設定が成功した場合は、接続４７を使って端末装置４３へアドレス変換装置４１の外部アドレスと、設定に成功した待受ポートを通知する。該当ポートが使用中だった場合などで設定に失敗すると、エラーとともにアドレス変換装置４１の外部アドレスと、使用できる別の待受ポートを同様に通知する。
【００４３】
このようにして接続４６に必要な、アドレス変換装置４１の外部アドレスと待受ポートを含む、例えば、図８に示すような接続情報テーブルの情報を通知する。この結果、接続４６を確立することができる。端末装置３９から端末装置４３への接続４５に関しては、相手先にアドレス変換装置が存在しないため、通常の接続方法で接続が可能である。これによって、端末装置３９と端末装置４３の相互接続を可能とする。
【００４４】
なお、第三実施例では、図８に示す「設定要求」、「結果通知／外部アドレス通知」は、アドレス変換装置を経由せず、直接端末同士で送受信される。
【００４５】
（第四実施例）
第四実施例の接続情報交換方法を図５、図７、図８を参照して詳細に説明する。図５は第四実施例の接続情報交換方法を説明するためのネットワーク構成図である。接続５７は、他の手段を用いて既に確立した、制御用として用いることが可能な接続である。他の手段の例として、アドレス変換装置５１において特定の待受ポートを用いることによって、互いにアドレス変換装置５１への要求や通知を行うことなく接続を可能とすることや、ＶＰＮを用いて制御用の接続を確立することが挙げられる。
【００４６】
接続５６および５７を用いて、第三実施例の接続情報交換方法と同様の図７に示すような流れで、例えば、図８に示すような接続情報テーブルに関する情報を交換し、相互接続を確立する
【００４７】
なお、第四実施例では、図８に示す「設定要求」、「結果通知／外部アドレス通知」は、アドレス変換装置を経由する。
【００４８】
なお、第一〜第四実施例において、図６および図７のシーケンスにおける最初の設定要求のステップを省き、例えば、あらかじめ定められた設定時刻になると端末装置が自律的に設定外部アドレス要求を開始するシーケンスとすることもできる。
【産業上の利用可能性】
【００４９】
本発明によれば、アドレス変換装置を介する必要がある端末装置に対する接続を、容易かつ高速に行うことができ、ユーザに対するサービス品質を向上させることができる。
【図面の簡単な説明】
【００５０】
【図１】本発明実施例の端末装置のブロック構成図。
【図２】第一実施例の接続情報交換方法を説明するためのネットワーク構成図。
【図３】第二実施例の接続情報交換方法を説明するためのネットワーク構成図。
【図４】第三実施例の接続情報交換方法を説明するためのネットワーク構成図。
【図５】第四実施例の接続情報交換方法を説明するためのネットワーク構成図。
【図６】第一、第二実施例の接続情報交換方法を説明するためのシーケンス図。
【図７】第三、第四実施例の接続情報交換方法を説明するためのシーケンス図。
【図８】本実施例の接続情報テーブルの例を示す図。
【図９】従来のＮＡＴ機能を用いた端末相互間の接続確立方法を説明するためのネットワーク構成図。
【図１０】従来のＮＡＴ機能を用いた端末相互間の接続確立方法を説明するためのシーケンス図。
【図１１】従来のＮＡＴテーブルを説明するための図。
【符号の説明】
【００５１】
１、７、１３、１９、３９、４３、４９、５３、５８、６４  端末装置
２、４、６、８、１４、１６、１８、４０、４２、４４、５０、５２、５９、６１、６３  ネットワーク
３、５、１５、１７、４１、５１、６０、６２  アドレス変換装置
９〜１２、２０〜２３、４５〜４８、５４〜５７、６５、６６  接続
１００  副相互接続確立部
１０１  ポート設定要求部
１０２  接続情報格納部
１０３  接続情報通知部
１０４  通信経路設定部
【図１】
2006324783.tif 000003
【図２】
2006324783.tif 000004
【図３】
2006324783.tif 000005
【図４】
2006324783.tif 000006
【図５】
2006324783.tif 000007
【図６】
2006324783.tif 000008
【図７】
2006324783.tif 000009
【図８】
2006324783.tif 000010
【図９】
2006324783.tif 000011
【図１０】
2006324783.tif 000012
【図１１】
2006324783.tif 000013